(57)【要約】  本発明は、少なくとも１つの窓を有するパッケージと、このパッケージ内に収容された複数の吸収性物品とを含む包装された吸収性製品を対象とする。各吸収性物品は、物品の一部分に印刷された第１図形を有する。窓は、背景領域及びこの背景領域に印刷された第２図形を有する。第１図形及び第２図形が、パッケージがパッケージ内の吸収性物品の少なくとも一部分を示すイメージを提供できるように、共通の視覚的構成を有する。
2008528398.tif 000002
【特許請求の範囲】
【請求項１】
少なくとも１つの窓を有するパッケージと、
前記パッケージ内に収容された複数の吸収性物品と、
を含み、
各吸収性物品が、前記物品の一部分に印刷された第１図形を有し、前記窓が、背景領域及び前記背景領域に印刷された第２図形を有し、前記第１図形及び第２図形が、共通の視覚的構成を有する、包装された吸収性製品。
【請求項２】
各吸収性物品が、包装シートにより包まれるか、又は小袋内に収容され、前記第１図形が、前記パッケージの外側から見えない、請求項１に記載の包装された吸収性製品。
【請求項３】
各吸収性物品が、前記印刷された第１図形を有するバックシートを包含し、前記背景領域が、前記バックシートの色と同様の色を示す、請求項２に記載の包装された吸収性製品。
【請求項４】
前記窓が、いかなる透明性をも有しない、請求項１に記載の包装された吸収性製品。
【請求項５】
前記窓が、前記吸収性物品の少なくとも一部分が前記窓を通して見えるように、透明性又は半透明性を有する、請求項１に記載の包装された吸収性製品。
【請求項６】
少なくとも１つの窓を有するパッケージと、
前記パッケージ内に収容された複数の吸収性物品と、
を含み、
各吸収性物品が、印刷された第１図形を有するバックシートを包含し、前記窓の前記透明性又は半透明性が、少なくとも１つの吸収性物品の前記第１図形が前記窓を通して見えるように、制御される、包装された吸収性製品。
【請求項７】
各吸収性物品が、それぞれの前記吸収性物品を包む包装シートを包含し、前記窓及び包装シートの全透明性又は全半透明性が、前記吸収性物品の前記第１図形が、前記包装シート及び前記窓を通して見えるように、制御される、請求項６に記載の包装された吸収性製品。
【請求項８】
各吸収性物品が、前記バックシートの上に配置されたパンティー締結接着剤及び前記接着剤を保護するためのカバーシートを包含し、前記パンティー締結接着剤、前記カバーシート、前記包装シート、及び前記窓の全透明性又は全半透明性が、前記パンティー締結接着剤、前記カバーシート、前記包装シート、及び前記窓を通して前記吸収性物品の前記第１図形が見えるように、制御される、請求項７に記載の包装された吸収性製品。
【請求項９】
前記窓が、前記吸収性物品の前記第１図形と前記第１図形に組み合わせることができる印刷された第２の図形とが、組み合わされたイメージ又は絵を共同で形成できるように２つの前記図形を有する、請求項６に記載の包装された吸収性製品。
【請求項１０】
前記吸収性物品が、生理用ナプキン、パンティライナー、おむつ、又は成人失禁用パッドである、請求項１又は６に記載の包装された吸収性製品。
【発明の詳細な説明】
【技術分野】
【０００１】
（関連出願に対する相互対照）
本出願は、２００６年５月１６日に出願された米国仮出願番号６０／８００，６１８の利益を主張する。
【０００２】
（発明の分野）
本発明は、包装された吸収性製品に関する。より詳細には、本発明は、窓を有する吸収性物品のためのパッケージを含む包装された吸収性製品に関する。
【背景技術】
【０００３】
生理用ナプキン、パンティライナー、乳児用おむつ、及び失禁用おむつなどの使い捨て吸収性物品は、下着の股部に典型的に着用されるパッド又はデバイスである。より具体的には、例えば生理用ナプキン及びパンティライナーは、通常は、女性の脚の間に、会陰領域に隣接して配置されるパンティー内に、女性により着用される。これらは、体液又は排泄物（例えば、経血及び尿）を女性の身体から吸収して保持し、且つ、身体及び衣類が汚れないように設計されている。これらの吸収性物品は、輸送及び販売のためにパッケージ内に積み重ねられて収容される。
【０００４】
使い捨て吸収性物品についての最近の開発は、それらのパッド機能の改善（例えば、優れた吸収性、漏れ防止、及び快適性）だけでなく、審美的特徴に注目する傾向がある。例えば、審美的特徴を有する吸収性物品は、ＰＣＴ国際公開特許ＷＯ２００４／００６８１８（２００４年１月２４日公開）に開示されている。この公開は、情緒的な利益をユーザーにもたらし、それによってユーザーの憂鬱な気分を低減する、バックシートに印刷された図形を有する吸収性物品を開示している。
【０００５】
使い捨て吸収性物品の審美的デザインは、市場で物品についての消費者の印象に影響を与える傾向があるために重要である。これは、使い捨て吸収性物品の審美的デザインが、重要な製品特徴の１つになってきていることを意味する。
【０００６】
しかしながら、従来の使い捨て吸収性物品（典型的には、生理用ナプキン及びパンティライナー）では、各パッドは折り畳まれて包装シートにより個々に包装されているか、又は各パッドは折り畳まれ、次いでポーチシートにより形成されたポーチ内に収納されている。これらのシート材料は、通常、高い不透明性を有するため、消費者は、包装シートを通してバックシートに印刷された図形を明確には見ることができない。この問題は、輸送及び販売のために、吸収性物品がパッケージ（例えば、プラスチックバッグ）内に収容されるときには、更に重要になる。こうしたパッケージは、高い不透明性をも有する（又は、いかなる透明性をも有しない）パッケージ部材により典型的には形成され、従って消費者にパッケージ部材及び包装シートを通してバックシートに印刷された図形を見せることは非常に困難である。
【発明の開示】
【発明が解決しようとする課題】
【０００７】
従って、パッケージの内容物の少なくとも一部分を示すイメージを提供できる、吸収性物品のためのパッケージへの要求が存在する。
【０００８】
バックシートに印刷された図形を見せることができる、吸収性物品のためのパッケージへの別の必要性もまた存在する。
【課題を解決するための手段】
【０００９】
１つの態様では、本発明は、少なくとも１つの窓を有するパッケージと、このパッケージ内に収容された複数の吸収性物品とを含む包装された吸収性製品を対象とする。各吸収性物品は、物品の一部分に印刷された第１図形を有する。窓は、背景領域及びこの背景領域に印刷された第２図形を有する。第１図形及び第２図形は共通の視覚的構成を有する。
【００１０】
別の態様では、本発明は、少なくとも１つの窓を有するパッケージと、このパッケージ内に収容された複数の吸収性物品とを含む包装された吸収性製品を対象とする。各吸収性物品は、印刷された図形を有するバックシートを包含する。窓が、少なくとも１つの吸収性物品の図形が窓を通して見えるように、透明性又は半透明性を有する。
【００１１】
前述のものは、パッケージの内容物の少なくとも一部分を示すイメージを提供できる、吸収性物品のためのパッケージの必要性に応えている。
【００１２】
前述のものはまた、バックシートに印刷された図形が見える、吸収性物品のためのパッケージの必要性に応えている。
【００１３】
本発明のこれら及び他の特徴、態様、及び利点は、本開示を読むことにより当業者には明らかとなるであろう。
【発明を実施するための最良の形態】
【００１４】
本明細書において、「含む」及び「包含する」とは、最終結果に影響しない他の要素及び／又は他の行程を加えることができることを意味する。これらの用語の各々は、「から成る」及び「から本質的に成る」という用語を包含する。
【００１５】
本明細書において、「吸収性物品」とは、体液のような身体滲出物又は排泄物を吸収及び保持する物品を指し、並びに生理用ナプキン、パンティライナー、おむつ（乳児用及び成人失禁用の両方）、成人失禁用パッド（及び衣類の股部に着用される他の物品)を包含することを意図する。
【００１６】
本明細書において、「使い捨て」とは、一回使用した後に廃棄したり、堆肥化したり、或いは、環境に適合した方式で処分されたりすることを意図される物品を指す。（即ち、洗濯、別の方法での復元、又は吸収性物品としての再使用が意図されない。）
本明細書において、「生理用ナプキン」とは、女性が外陰部に隣接して着用する物品であって、身体から排泄される様々な滲出物（例えば、血液、経血、及び尿）を吸収及び保持することを意図される物品を指す。
【００１７】
本明細書において、「パッケージ」とは、吸収性物品（類）を保持する手段を指す。パッケージは、パッケージ部材により形成される。パッケージは、当該技術分野において既知の任意の大きさ、形状、及び構造を取ることもできる。特定の実施形態では、こうしたパッケージは、複数の吸収性物品を収容する立方体様の形状を有する可撓性バッグであることができる。別の実施形態では、こうしたパッケージは、立方体形状又は円柱形状を有する箱であることができる。
【００１８】
本明細書において、「窓」は、パッケージの内容物の少なくとも一部分（例えば、外形、厚さ、又は図形（類））を示すイメージを提供できる、パッケージの部分又は部分領域を指す。特定の実施形態では、イメージが、パッケージの内容物から窓を通して直接提供され得て、即ち内容物の一部分が窓を通して直接見える。別の方法として、又は、加えて、イメージは間接的に提供され得、これは即ちパッケージの内容物の少なくとも一部分（例えば、外形、厚さ、又は図形（類））を示すイメージを提供する、印刷図形によりもたらすことができる。
【００１９】
１つの実施形態では、イメージは、直接的に且つ間接的に窓内に提供され得、即ちイメージの一部分が窓を通して直接見え、一方で、イメージの他の部分が、窓内の印刷された図形により提供され得る。
【００２０】
１つの実施形態では、窓は、パッケージの少なくとも正面に見える領域（例えば、立方体様の形状のパッケージの前部パネル）に形成され得る。窓は、領域に依存して変化する、いかなる透明性をも有しない、一定の透明性若しくは半透明性を有する、又はこれらの組み合わせを有することができる。窓がいかなる透明性をも有しないとき、窓に印刷された図形は、パッケージの内容物の少なくとも一部分を示す（即ち、表す）イメージを提供するべきである。或いは、窓が一定の透明性又は半透明性を有するとき、パッケージの内容物の一部分が、窓を通して直接見える。
【００２１】
窓は、当該技術分野において既知のいずれかの手段により形成され得る。１つの実施形態では、窓は、より高い不透明性を有する又はいかなる透明性をも有しない周囲の領域から、窓領域での透明性又は半透明性の程度を差別化することにより形成され得る。（注記：図に示される実施形態では、例えば窓領域は、参照番号１６により示すことができ、一方で周囲の領域は参照番号１７により示すことができる。）こうした差別化は、窓領域と周囲の領域との間で異なるインク又は異なる量のインク（類）を用いることにより行うことができる。別の実施形態では、窓は、それが高い透明性を有するように窓内にはいずれの塗料も適用しないが、一方でその周囲の領域に半透明性を有する、より高い不透明性を有する、又いかなる透明性をも有しない塗料を提供することにより形成され得る。或いは、いかなる透明性をも有しない窓は、窓領域とその周囲の領域との間にインクを印刷することで色差を作ることにより形成され得る。又は窓は、窓領域とその周囲の領域との間にインク（類）で線を印刷することで形成され得る。
【００２２】
本明細書において、「図形」は、図（類）、即ち、線（類）、記号（類）若しくは文字（類）、又は２色（又は３色以上）の色差（類）若しくは変化（類）及び／又は同様なものにより構成される模様を指す。特定の実施形態では、図形は、ユーザーが図形を有する吸収性物品を見る又は眺めるときに、情緒的な効果をもたらすことができる審美的デザイン及び／又は色（類）を有する。こうした審美的デザインの例には、花（例えば、タンポポ）などの植物、猫などのかわいい動物、マンガのキャラクター、雪だるま、風景などの季節的なもの又は品物が挙げられるが、これらに限定されない。加えて、又は、別の方法として、図形には他の要素（類）、例えば、生理用ナプキンについては、大きさ、種類（例えば、ウィング／ウィングなし、及び日中／夜間用途）、乳児用おむつについては男児／女児用途、吸収性物品の商標名又はそのロゴなどの情報データ（類）を含むことができる。図形は、グラビア印刷、フレキソ印刷、オフセット印刷、インクジェット印刷などを含む当該技術分野で既知のいかなる従来の印刷方法又は技術によっても印刷することができるが、これらに限定されない。特定の実施形態では、図形はグラビア印刷による。
【００２３】
各図形は、図（類）により定義されるべき視覚的構成を有するべきである。こうした視覚的構成は、図形の大きさに無関係であることができる。即ち、２つの図形が共通の視覚的構成を有するとき、これらの２つの図形は大きさにおいて同一であることもできるし、又は実質的に同じであって大きさだけが異なる（即ち、それらは互いに比例し得る）こともできる。その場合には、２つの図形は同一であると見なすことができる。
【００２４】
本明細書において、「正面に見える領域」とは、市場で消費者の最大の注意を得ることを意図されるパッケージの主要表面領域を指す。多くの実施形態では、正面に見える領域は、パッケージの外側表面の中で、商標名又は製品名の最大の表示を有する。パッケージが立方体様の形状を有するとき、前部パネルは通常は商標名の最大の表示を有し、それは正面に見える領域に相当する。
【００２５】
吸収性物品は一般に、少なくとも３つの主構成要素、即ちトップシート、バックシート、吸収性コアを包含する。トップシート、バックシート、及び吸収性コアは、当該技術分野において既知の任意の構成要素材料により形成され得る。
【００２６】
トップシートは、着用者の皮膚に、適合して軟らかな感触であり、非刺激性であり得る。好適なトップシート材料は、着用者の身体方向に配向して接触することで、身体排泄物が迅速にそれを通って浸透し、流体がトップシートを通って着用者の身体に逆流しない、液体透過性材料を含む。好適なトップシートは、様々な材料、例えば織布材料及び不織布材料；孔あき成形熱可塑性フィルム、孔あきプラスチックフィルム、及び繊維絡み合わせ孔あきフィルムを包含する孔あきフィルム材料；ハイドロフォーミングされた熱可塑性フィルム；多孔質発泡体；網状発泡体；網状熱可塑性フィルム；熱可塑性スクリム；又はこれらの組み合わせにより製造され得る。
【００２７】
バックシートは、吸収性物品中に吸収及び保持される滲出物の外部への漏れを防止する。バックシートとして用いるのに好適な可撓性材料には、織布材料及び不織布材料、ラミネートティッシュ、例えばポリエチレン及び／若しくはポリプロピレンの熱可塑性フィルムなどのポリマーフィルム、例えばフィルムコーティング不織布材料などの複合材料、又はこれらの組み合わせが挙げられるが、これらに限定されない。特定の実施形態では、バックシートは、約０．０１２ｍｍ（０．５ミル）〜約０．０８１ｍｍ（３．４ミル）の厚さを有する。
【００２８】
吸収性コアは典型的には、トップシートとバックシートとの間に配置される。本明細書において、「吸収性コア」とは、尿、血液、経血、及び身体滲出物中に見出される水分などの水性流体を、吸収、分配、及び貯蔵するために好適な材料又は材料の組み合わせを指す。吸収性コアの大きさ及び形状は、吸収能力要件に適合するように、及び着用者／使用者に快適性を提供するように変更することができる。本発明に用いるのに好適な吸収性コアは、吸収性物品に用いられる当該技術分野において既知任意の液体吸収性材料であることもできるが、ただし、この液体吸収性材料は、吸収能力要件に適合するように構成又は構築できることを条件とする。
【００２９】
吸収性コアとして用いるのに好適な液体吸収性材料の非限定例には、一般にエアフェルトと呼ばれる粉砕木材パルプ；捲縮セルロース塊；ヒドロゲル形成性ポリマーゲル化剤のような超吸収性ポリマーを包含する吸収性ゲル材料；化学的に剛化、変性、若しくは架橋されたセルロース繊維；メルトブローン繊維；捲縮ポリエステル繊維を包含する合成繊維；ティッシュラップ及びティッシュラミネートを包含するティッシュ；毛管チャネル繊維；吸収性フォーム；吸収性スポンジ；合成ステープル繊維；ピートモス；若しくはいずれかの同等の材料；又はこれらの組み合わせが挙げられる。
【００３０】
トップシート、バックシート、及び吸収性コアは、当該技術分野において既知の多様な構成、大きさ、形状に組み立てられる。構成の例は、米国特許第４，９５０，２６４号及び第５，００９，６５３号（オズボーン（Osborn）に発行）；米国特許第４，４２５，１３０号（デズマレー（DesMarais）に発行）；米国特許第４，５８９，８７６号及び第４，６８７，４７８号（ヴァン・ティルブルフ（Van Tilburg）に発行）；及び米国特許第５，２３４，４２２号（スネラー（Sneller）らに発行）に記載されている。
【００３１】
特定の実施形態では、吸収性物品２０の各々が個々に包装され、それによって個々の包装構造体又はポーチ構造体を形成することができる（図に示されず）。具体的には、吸収性物品が、生理用ナプキン又はパンティライナーである場合には、各パッドは折り畳まれて包装シートにより個々に包装されることもできるし、又は各パッドは折り畳まれてポーチの中に収容されることもできる。これらの包装シート及びポーチは、以下に、より詳細に記載されるパッケージ部材により形成され得る。フラップを有する生理用ナプキンのための個々の包装構造体の１つの例は、米国特許第６，０７４，３７６号（ミルズ（Mills）、２０００年６月１３日発行）に開示されている。
【００３２】
或いは、吸収性物品は、個々に包装されずに、即ち個々の包装材又はポーチなしに収容されることができる。その場合には、すべての吸収性物品が、パッケージ内に積み重ねられて収容され得る。
【００３３】
吸収性物品の各々は、折り畳まれずにパッケージ内に貯蔵され得る。或いは、各吸収性物品の少なくとも一部分を内側に折り畳める。例えば、吸収性物品が生理用ナプキンであるとき、各生理用ナプキンは、１本又は２本の折り畳み線に沿って折り畳まれて、その結果、生理用ナプキンが、折り畳み線（類）によって画定される２部分又は３部分に折り畳まれ得る。女性用衛生物品（例えば、生理用ナプキン）を折り畳んで包装するための方式又は構造体の例は、米国特許第６，０７４，３７６号（ミルズ（Mills）、２０００年６月１３日発行）、並びに米国特許第５，５６９，２２８号（バード（Byrd）ら、１９９６年１０月２９日発行）に開示されている。
【００３４】
吸収性物品の少なくとも１つは、物品の一部分に印刷された図形（即ち、第１図形）を有する。特定の実施形態では、各吸収性物品（即ちパッケージ内のすべての吸収性物品）は、物品の一部分に印刷されたこうした図形を有する。図形は、吸収性物品の構成要素部材のいずれかの部分（又は全領域）に印刷され得る。これらの構成要素部材には、トップシート、バックシート、吸収性コア、包装シート、又はポーチ（採用される場合）、バックシート上に配置されるパンティー締結接着剤、並びにカバーシート（例えば、剥離紙）が挙げられるが、これらに限定されない。図形は、吸収性物品の構成要素部材（類）の身体に面する表面又は衣類に面する表面のいずれかに印刷され得る。図形は、吸収性物品の構成要素部材の小部分にのみ印刷され得る一方で、図形要素を繰り返すことによって、吸収性物品の構成要素部材の全領域に印刷され得る。例えば、図に示される実施形態では、各吸収性物品は、バックシートの身体に面する表面（又は所望であれば衣類に面する表面）の全領域に印刷された図形を有する。別の実施形態では、各吸収性物品は、包装シート又はパンティー締結接着剤のカバーシートのいずれかに印刷された図形を有する。
【００３５】
図は、包装された吸収性製品、即ち、吸収性物品２０を収容するパッケージ１００の簡略化した斜視図であり、これは本発明の１つの実施形態である。この実施形態では、パッケージ１００が立方体様の形状を有して複数の使い捨て吸収性物品２０を収容する。この実施形態では、吸収性物品２０は、パッケージ１００内の少なくとも１つの積み重ね２２を形成するように積み重ね得る生理用ナプキンである。しかしながら特定の実施形態では、吸収性物品２０は積み重ねられず、単にパッケージ内に水平に並んで設置される（図に示されず）。図に示されるパッケージ１００は、パッケージ部材の連続管から形成され得る可撓性バッグである。パッケージ１００の側面の部分が、側部パネル１３においてガセット構造体２６を形成することにより閉鎖され得る。
【００３６】
パッケージ１００は、前部パネル１１、前部パネル１１に相対する後部パネル１２、前部パネル１１及び後部パネル１２に接続する側部パネル１３、前部パネル１１、後部パネル１２、側部パネル１３に接続する上部パネル１４、並びに上部パネル１４に相対する下部パネル１５を包含する。前部パネル１１と後部パネル１２、両側部パネル１３、並びに上部パネル１４と下部パネル１５の各対は、図に示されるように実質的に平面であり得る。これらのパネル１１〜１５は、パッケージ１００の外側表面２４及び内側表面（図に示されず）を有する。この実施形態では、前部パネル１１は、パッケージ１００の外側表面２４内で、商標名又は製品名（図に示されず）の最大の表示を有するため、正面に見える領域に相当する。
【００３７】
本発明のパッケージ１００は、窓（類）１６を更に包含する。窓１６は、パッケージ１００のいずれのパネル１１〜１５において提供され得るが、１つの実施形態では、それは少なくとも前部パネル１１内に提供され得る。所望であれば、複数の窓１６が、パッケージ１００の前部及び／又は他のパネル（類）内に提供され得る。例えば、追加の窓（類）は、側部パネル（類）１３及び／又は後部パネル１２内に提供されてもよい。所望であれば、窓１６は、１つのパネルから別の隣接するパネル（類）まで、例えば前部パネル１１から側部パネル（類）１３まで伸びることができる。
【００３８】
本発明の窓１６は、背景領域３０及び背景領域３０に印刷された図形（即ち、第２図形）３２を有する。第１図形及び第２図形は、窓１６が第１図形についての情報を提供できるように、共通の視覚的構成を有する。
【００３９】
図形は、パッケージ１００の外側表面又は内側表面のいずれかに印刷され得る。図形は、窓１６の小部分にのみ印刷される得る一方で、図形要素を繰り返すことによって、窓１６の全領域に印刷され得る。
【００４０】
窓１６は、円形、正方形、長方形、台形、楕円形、三角形、又は図に示される、変形した扇形様の形状など、いずれかの他の形状を取ることができる。窓１６は、いずれの大きさ又は寸法を有することもできる。１つの実施形態では、窓１６が、収容された吸収性物品２０の少なくとも幾つかが窓１６を通して見えるように、十分な寸法（例えば、長方形の窓については長さ及び幅）を有する。
【００４１】
窓１６は、パッケージ１００内に収容された使い捨て吸収性物品２０のデザインを消費者に見せることができる。これは、購入時点において、特に魅力的な図形（類）が吸収性物品２０の一部分に印刷されているときには、消費者が窓１６からそれを認識することができて有益である。
【００４２】
図に示される実施形態では、窓１６は、それが非常に高い透明性を有するように、窓１６の領域内にはいずれの塗料も適用せずに、一方では窓１６の周囲の領域を非透明にする塗料を適用することによって形成され得る。
【００４３】
前部パネル１１の残りの部分は、１以上の色並びに線、図、装飾的意匠、絵、記号、文章（例えば商標名及び／又は製品名）、及びこれらの組み合わせを有することができる。（図に示される実施形態では、例えば残りの領域の一部分である図形は、参照番号１８により示される。）
１つの実施形態では窓１６はいかなる透明性をも有しない。具体的には、この実施形態では、窓１６の全領域、即ち背景領域３０と背景領域３０に印刷された第２図形３２との両方がいかなる透明性をも有しない。吸収性物品２０のいずれの部分も窓１６を通して実際に見ることができないため、パッケージ１００内に収容された吸収性物品２０は、紫外線から保護され得る。その一方で、第１図形及び第２図形は共通の視覚的構成を有するため、消費者は、窓１６に印刷されている第２図形３２を見ることによって、いずれの図形（類）がパッケージ１００内の吸収性物品２０に印刷されているかを認識できる。
【００４４】
更に、背景領域３０及び第２図形３２は、それぞれバックシートの色と吸収性物品２０に印刷された第１図形の色と同様の（又は実質的に同じ）色を有することができる。この実施形態の窓１６は、バックシートに印刷された第１図形と同じである（色の組み合わせを包含する）第２図形３２を見せることができるため、消費者は吸収性物品２０に印刷された図形デザインのより現実的なイメージを得ることができる。
【００４５】
１つの実施形態では、窓１６は、吸収性物品２０の一部分が窓１６を通して見られることができるように、ある程度の半透明性（即ち、半透明の窓）を有する。本明細書において、「半透明の窓」とは、パッケージの１つのパネル上に形成され、これを通して、パッケージ内に収容された吸収性物品の外形又は厚さを見せるが、印刷された図形を、明確には見せない窓を指す。半透明の窓は色を有することができるが、それは、パッケージ内に収容された吸収性物品２０の外形が窓１６を通して見えるように、十分な半透明性を有するべきである。窓１６を通しては、その半透明性のために、吸収性物品２０内に印刷された第１図形が明確には見えないが、この実施形態の窓１６は吸収性物品の外形を実際に見せて、消費者が図形を有する吸収性物品２０のイメージをより良く得ることができるので、この実施形態は特に有益である。半透明の窓は、パッケージ１００内に収容される吸収性物品２０を紫外線から保護できることに、注意するべきである。
【００４６】
別の実施形態では、窓１６は、窓１６を通してパッケージ１００内に収容される吸収性物品２０の少なくとも一部分を見せる透明性（即ち、透明な窓）を有する。本明細書において、「透明な窓」とは、パッケージの１つのパネル上に形成され、並びにパッケージ１００内に収容される吸収性物品２０の外形、厚さ、及び印刷された図形の少なくとも一部分が明確に見える透明な領域（類）又は部分（類）を指す。所望であれば、透明な窓は、十分な透明性を保ちながら、色及び／又は幾らかの半透明性を有することができる。特定の実施形態では、透明な窓が、吸収性物品２０の印刷された図形と前記印刷された図形に組み合わせることができる（又は適合できる）別の図形（即ち、第２の図形）とが、消費者が好む、組み合わされたイメージ又は絵を共同で形成できるように２つの前記図形を有する。１つの実施形態では、第１図形及び第２図形は、共通の視覚的構成、例えば共通のタンポポの花を有することができる。別の実施形態では、第１図形及び第２図形は、異なる視覚的構成、例えばタンポポの黄色い花とその緑の葉をそれぞれ有することができる。こうした第１図形及び第２図形は、植物又は花、かわいい動物（例えば、猫）、マンガのキャラクターなど、一般に知られているいずれの図形からも選択できる。透明な窓は、パッケージ１００内に収容される吸収性物品２０を紫外線から保護できることに、注意するべきである。
【００４７】
特定の実施形態では、各吸収性物品２０は印刷された図形を有するバックシートを包含し、窓の透明性又は半透明性が、窓１６を通して少なくとも１つの吸収性物品の図形が見えるように、制御され得る（即ち、選択又は決定され得る）。
【００４８】
各吸収性物品は、それぞれの吸収性物品２０を包む包装シート（即ち、パッケージ部材）を更に包含することができる。この実施形態では、窓及び包装シートの全透明性又は全半透明性が、吸収性物品の図形が、包装シート及び窓を通して見えるように制御され得る（即ち、選択又は決定され得る）。
【００４９】
更に、各吸収性物品は、バックシート上に配置されるパンティー締結接着剤及び接着剤を保護するためのカバーシート（例えば、剥離紙）を追加的に包含することができる。この実施形態では、パンティー締結接着剤、カバーシート、包装シート、及び窓の全透明性又は全半透明性が、吸収性物品の図形が、パンティー締結接着剤、カバーシート、包装シート、及び窓を通して見えるように、制御され得る（即ち、選択又は決定され得る）。
【００５０】
前述の個々の包装材、ポーチ、及びパッケージ１００のためのパッケージ部材には、典型的には、熱可塑性ポリマー（類）により形成される薄いプラスチックフィルム材料及び不織布材料、並びに紙材が挙げられる。特定の実施形態では、パッケージ部材のための材料は、パッケージが吸収性物品を、パッケージ１００外部の水分により影響を受けないように保護できるように、液体及び水分不透過性であることができる。
【００５１】
パッケージ部材のための材料は、熱可塑性ポリマー、厚紙材料を含む紙材、及び当該技術分野において既知のいずれかの他の材料であり得る。これらの材料は、非生分解性、再生利用不可能、生分解性、又は再生利用可能であり得る。
【００５２】
熱可塑性ポリマーには、ポリオレフィン、例えば直鎖状低密度ポリエチレン（ＬＬＤＰＥ）、低密度ポリエチレン（ＬＤＰＥ）、超低密度ポリエチレン（ＵＬＤＰＥ）、高密度ポリエチレン（ＨＤＰＥ）を包含するポリエチレン（ＰＥ）、ポリプロピレン、及びこれらの混合物が挙げられる。また用いてもよい他の好適な熱可塑性ポリマーには、ポリエステル、ポリウレタン、堆肥化可能又は生分解性ポリマー、熱可塑性エラストマー、及びメタロセン触媒系ポリマーが挙げられるが、これらに限定されない。
【００５３】
選択された材料が、それ自体では期待された光学的性質（例えば、透明性又は半透明性）を提供できない場合には、異なる材料（類）を、窓の領域に用い得ることに、注意するべきである。例えば、いかなる透明性をも有しない厚紙材料をパッケージ部材として選択するときには、透明性又は半透明性を有する熱可塑性ポリマー材料（例えば、ポリエチレン）を窓の領域に用いることができる。
【００５４】
図に示される実施形態では、パッケージ１００のためのパッケージ部材は、ポリエチレン（又は「ＰＥ」）により形成される薄いプラスチックフィルムであり得る。
【００５５】
パッケージ１００内に収容される使い捨て吸収性物品２０には、同じ又は２つの（若しくは３つ以上の）異なる種類又はデザインの吸収性物品２０を挙げることができる。特定の実施形態では、パッケージ１００内に収容される使い捨て吸収性物品２０は、生理用ナプキン及びパンティライナーのような女性用衛生物品である。図に示される実施形態では、単一の種類（又は１つのデザイン）の生理用ナプキンが、使い捨て吸収性物品２０として収容され得る。
【実施例】
【００５６】
以下の表は、上記の実施形態のために用い得る材料の一連の実施例を示す。
【００５７】
【表１】
2008528398.tif 000003
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。
【００５８】
本発明の「発明を実施するための最良の形態」において引用したすべての文献は、その関連部分において本明細書に参考として組み込まれ、いずれの文献の引用も、それが本発明に関して先行技術であるとの承認として解釈されるべきではない。ここに書かれた文書内の用語のいずれかの意味又は定義が、参考として組み込まれる文書内の用語のいずれかの意味又は定義と反する場合には、ここに書かれた文書内の用語に割り当てられた意味又は定義が適用される。
【００５９】
本発明の特定の実施形態を例示し記載したが、本発明の精神及び範囲から逸脱することなく、他の様々な変更及び修正を実施できることが、当業者には明白であろう。従って、本発明の範囲内にあるそのようなすべての変更及び修正を、添付の特許請求の範囲で扱うものとする。
【図面の簡単な説明】
【００６０】
【図１】包装された吸収性製品の簡略化した斜視図であり、これは本発明の１つの実施形態である。
2008528398.tif 000004
【国際調査報告】
2008528398.tif 000005
2008528398.tif 000006
2008528398.tif 000007